(57)【要約】 【課題】アナログスピードメータ表示を備える表示パネル部の前面の全体のほぼ完全なカスタム化を可能とするとともに、そのカスタム化のためのデザインの選択性も極めて高い自動車計器表示変更装置を提供する。【解決手段】自動車計器表示変更装置１は、薄板状光源部２、薄板状アナログスピードメータ表示部材３、薄板状光源部用ドライバ４を備える。薄板状光源部２は、自動車計器の指針の通過用貫通孔２２を備え、自動車計器表示器７の表示パネル部７０上に取り外し可能に載置されるエレクトロルミネッセンス素子からなるものである。表示部材３は、表示パネル部７０のスピードメータ表示７１に対応しかつ表示形態が異なるとともに薄板状光源部２により裏面側から照明されるスピードメータ表示部３１と、指針通過用開口部３２とを備える。【選択図】図２
0003131288.tif 000002
【実用新案登録請求の範囲】
【請求項１】
アナログスピードメータ表示を備える表示パネル部と、前記アナログスピードメータ表示のための指針とを少なくとも有する自動車計器表示器に使用するための自動車計器表示変更装置であって、
該自動車計器表示変更装置は、前記指針を前記自動車計器表示器より離脱することなく通過させるための指針通過用開口を備え、前記表示パネル部の形状に対応した形状を有し、少なくともアナログスピードメータ表示を視認不能にするとともに前記アナログスピードメータ表示を含む表示パネル部の前面のほぼ全体を被包可能かつ前記表示パネル部上に取り外し可能に載置されるエレクトロルミネッセンス素子からなり実質的に無地表面を有する薄板状光源部と、
前記自動車計器表示器の前記アナログスピードメータ表示に対応しかつ前記アナログスピードメータ表示と表示形態が異なるとともに前記薄板状光源部により裏面側から照明されるアナログスピードメータ表示部と、前記薄板状光源部の前記指針通過用開口に対応する位置に設けられるとともに、前記指針を前記自動車計器表示器より離脱することなく通過させるための指針通過用開口部とを備え、前記薄板状光源部の前面に載置もしくは固定され、前記薄板状光源部の前面全体を被包する薄板状アナログスピードメータ表示部材と、
自動車の車載用電源装置に接続可能である前記薄板状光源部のための薄板状光源部用ドライバとを備えることを特徴とする自動車計器表示変更装置。
【請求項２】
前記薄板状アナログスピードメータ表示部材は、透明フィルム基材からなり、前記薄板状光源部からの光によっても実質的に明るくならない濃色背景部と、白色もしくは淡色にて印刷され、前記薄板状光源部からの光にて明るくなる前記アナログスピードメータ表示部とを有するものである請求項１に記載の自動車計器表示変更装置。
【請求項３】
前記薄板状アナログスピードメータ表示部材は、前記アナログスピードメータ表示部を取り囲むように帯状にかつ前記濃色背景部と異なる色にて印刷された帯状施色部を備えている請求項２に記載の自動車計器表示変更装置。
【請求項４】
前記薄板状アナログスピードメータ表示部材は、透明フィルム基材からなり、裏面側に施された印刷部を備え、該印刷部は、前記濃色背景部および前記アナログスピードメータ表示部を有するものである請求項２または３に記載の自動車計器表示変更装置。
【請求項５】
前記自動車計器表示変更装置は、前記薄板状光源部と前記薄板状アナログスピードメータ表示部材間に配置され、前記薄板状光源部の前記開口に対応する開口を備え、前記薄板状光源部の表面を被包するとともに、前記薄板状光源部から発光された光の色相を変更するための薄膜状の透明カラーシートを備えている請求項１ないし４のいずれかに記載の自動車計器表示変更装置。
【請求項６】
前記薄板状アナログスピードメータ表示部材は、前記薄板状光源部の前面全体を被包するとともに、前記薄板状光源部より若干大きいものとなっている請求項１ないし５のいずれかに記載の自動車計器表示変更装置。
【請求項７】
前記表示パネル部は、距離表示部を備え、前記薄板状光源部は、前記距離表示部を視認可能とするための距離表示部用開口部を備え、前記薄板状アナログスピードメータ表示部材は、前記距離表示部を視認可能とするための距離表示部用開口部もしくは距離表示部用透明部を備えている請求項１ないし６のいずれかに記載の自動車計器表示変更装置。
【請求項８】
前記表示パネル部は、前記アナログスピードメータ表示以外の付属的発光表示部を備え、前記薄板状光源部は、前記付属的発光表示部を視認可能とするための付属的発光表示部用開口部を備え、前記薄板状アナログスピードメータ表示部材は、前記付属的発光表示部を視認可能とするための付属的発光表示部用透明部を備えている請求項１ないし７のいずれかに記載の自動車計器表示変更装置。
【請求項９】
前記表示パネル部は、水温表示部および／または燃料表示部を備え、前記薄板状アナログスピードメータ表示部材は、前記表示パネル部の前記水温表示部および／または前記燃料表示部に対応しかつ表示形態が異なる水温表示部および／または燃料表示部を備え、前記薄板状光源部は、前記表示パネル部の前記水温表示部および／または燃料表示部を視認不能に被包するとともに、前記薄板状アナログスピードメータ表示部材の前記水温表示部および／または燃料表示部付近を裏面側から照明するものとなっている請求項１ないし８のいずれかに記載の自動車計器表示変更装置。
【請求項１０】
アナログスピードメータ表示を備える表示パネル部と、前記アナログスピードメータ表示のための指針とを少なくとも有する自動車計器表示器に使用するための自動車計器表示変更装置であって、
該自動車計器表示変更装置は、前記指針を前記自動車計器表示器より離脱することなく通過させるための指針通過用開口を備え、前記表示パネル部の形状に対応した形状を有し、少なくともアナログスピードメータ表示を視認不能にするとともに前記アナログスピードメータ表示を含む表示パネル部の前面のほぼ全体を被包可能かつ前記表示パネル部上に取り外し可能に載置されるエレクトロルミネッセンス素子からなり実質的に無地表面を有する薄板状光源部と、
前記自動車計器表示器の前記アナログスピードメータ表示に対応しかつ前記アナログスピードメータ表示と表示形態が異なるとともに前記薄板状光源部により裏面側から照明されるアナログスピードメータ表示部と、前記薄板状光源部の前記指針通過用開口に対応する位置に設けられるとともに、前記指針を前記自動車計器表示器より離脱することなく通過させるための指針通過用開口部とを備え、前記薄板状光源部の表面に載置もしくは固定され、前記薄板状光源部の前面全体を被包する薄板状アナログスピードメータ表示部材と、
自動車の車載用電源装置に接続可能である前記薄板状光源部のための薄板状光源部用ドライバとを備え、
さらに、前記表示パネル部は、距離表示部および前記アナログスピードメータ表示以外の付属的発光表示部を備え、前記薄板状光源部は、前記距離表示部を視認可能とするための距離表示部用開口部および前記付属的発光表示部を視認可能とするための付属的発光表示部用開口部を備え、前記薄板状アナログスピードメータ表示部材は、前記距離表示部を視認可能とするための距離表示部用開口部または距離表示部用透明部、および前記付属的発光表示部を視認可能とするための付属的発光表示部用透明部を備えていることを特徴とする自動車計器表示変更装置。
【請求項１１】
アナログスピードメータ表示を備える表示パネル部と、前記アナログスピードメータ表示のための指針とを少なくとも有する自動車計器表示器に使用するための自動車計器表示変更装置であって、
該自動車計器表示変更装置は、前記指針を前記自動車計器表示器より離脱することなく通過させるための指針通過用開口を備え、前記表示パネル部の形状に対応した形状を有し、少なくともアナログスピードメータ表示を視認不能にするとともに前記アナログスピードメータ表示を含む表示パネル部の前面のほぼ全体を被包可能かつ前記表示パネル部上に取り外し可能に載置されるエレクトロルミネッセンス素子からなり実質的に無地表面を有する薄板状光源部と、
前記自動車計器表示器の前記アナログスピードメータ表示に対応しかつ前記アナログスピードメータ表示と表示形態が異なるとともに前記薄板状光源部により裏面側から照明されるアナログスピードメータ表示部と、前記薄板状光源部の前記指針通過用開口に対応する位置に設けられるとともに、前記指針を前記自動車計器表示器より離脱することなく通過させるための指針通過用開口部とを備え、前記薄板状光源部の表面に載置もしくは固定され、前記薄板状光源部の前面全体を被包する薄板状アナログスピードメータ表示部材と、
前記薄板状光源部と前記薄板状アナログスピードメータ表示部材間に配置され、前記薄板状光源部の前記開口に対応する開口を備え、前記薄板状光源部の表面を被包するとともに、前記薄板状光源部から発光された光の色相を変更するための薄膜状の透明カラーシートと、
自動車の車載用電源装置に接続可能である前記薄板状光源部のための薄板状光源部用ドライバとを備え、
さらに、前記薄板状アナログスピードメータ表示部材は、透明フィルム基材からなり、裏面側に施された印刷部を備え、該印刷部は、前記薄板状光源部からの光によっても実質的に明るくならない濃色背景部と、白色もしくは淡色にて印刷され、前記薄板状光源部からの光にて明るくなる前記アナログスピードメータ表示部とを有することを特徴とする自動車計器表示変更装置。
【請求項１２】
アナログスピードメータ表示を備える表示パネル部と、前記アナログスピードメータ表示のための指針とを少なくとも有する自動車計器表示器に使用するための自動車計器表示変更装置であって、
該自動車計器表示変更装置は、前記指針を前記自動車計器表示器より離脱することなく通過させるための指針通過用開口を備え、前記表示パネル部の形状に対応した形状を有し、少なくともアナログスピードメータ表示を視認不能にするとともに前記アナログスピードメータ表示を含む表示パネル部の前面のほぼ全体を被包可能かつ前記表示パネル部上に取り外し可能に載置されるエレクトロルミネッセンス素子からなり実質的に無地表面を有する薄板状光源部と、
前記自動車計器表示器の前記アナログスピードメータ表示に対応しかつ前記アナログスピードメータ表示と表示形態が異なるとともに前記薄板状光源部により裏面側から照明されるアナログスピードメータ表示部と、前記薄板状光源部の前記指針通過用開口に対応する位置に設けられるとともに、前記指針を前記自動車計器表示器より離脱することなく通過させるための指針通過用開口部とを備え、前記薄板状光源部の表面に載置もしくは固定され、前記薄板状光源部の前面全体を被包する薄板状アナログスピードメータ表示部材と、
自動車の車載用電源装置に接続可能である前記薄板状光源部のための薄板状光源部用ドライバとを備え、
さらに、前記表示パネル部は、距離表示部および前記アナログスピードメータ表示以外の付属的発光表示部を備え、前記薄板状光源部は、前記距離表示部を視認可能とするための距離表示部用開口部および前記付属的発光表示部を視認可能とするための付属的発光表示部用開口部を備え、前記薄板状アナログスピードメータ表示部材は、前記距離表示部を視認可能とするための距離表示部用開口部または距離表示部用透明部、および前記付属的発光表示部を視認可能とするための付属的発光表示部用透明部を備え、
さらに、前記表示パネル部は、水温表示部および／または燃料表示部を備え、前記薄板状アナログスピードメータ表示部材は、前記表示パネル部の前記水温表示部および／または前記燃料表示部に対応しかつ表示形態が異なる水温表示部および／または燃料表示部を備え、前記薄板状光源部は、前記表示パネル部の前記水温表示部および／または燃料表示部を視認不能に被包するとともに、前記薄板状アナログスピードメータ表示部材の前記水温表示部および／または燃料表示部付近を裏面側から照明するものとなっていることを特徴とする自動車計器表示変更装置。
【請求項１３】
前記薄板状光源部用ドライバは、前記薄板状光源部の発光色を調整するための調整機能を備えている請求項１ないし１２のいずれかに記載の自動車計器表示変更装置。
【請求項１４】
前記薄板状光源部は、薄板状光源部本体と、一端部に前記薄板状光源部本体と着脱可能に接続するためのコネクターおよび他端部に前記薄板状光源部用ドライバと着脱可能に接続するためのコネクターを備える接続ケーブルとからなるものである請求項１ないし１３のいずれかに記載の自動車計器表示変更装置。
【考案の詳細な説明】
【技術分野】
【０００１】
本考案は、自動車に車載されている標準メータを取り外すことなく、アナログスピードメータ表示パターンを変更することができる自動車計器表示変更装置である。
【背景技術】
【０００２】
自動車に標準装備される純正部品をカスタム化する改造が多く行われておりニーズも年々高くなっている。特に、自動車計器パネルにおけるスピードメータ部分は、他のメータよりも面積も多く、最も注視される部分であることより、カスタム化の潜在的ニーズは多い。
しかし、スピードメータは、アナログタイプのものでも精密部品のため、指針を取り外せないものが近年増えてきている。このため、安易に分解して、表示パネルを変更するといったことができないのが現状である。
【０００３】
そして、実用新案登録３１０４８１０号（特許文献１）には、車両に標準装備されるメーター表示板へ重ね合わせて装着され、少なくとも文字、図形、記号、目盛、数値の何れかを含むＥＬ発光部が配線パターンと共に形成されており、通電によりＥＬ発光部が自ら面発光するＥＬ表示シートと、メーター表示板の裏面に設けられた透明板を通じてバックライトを照射する白熱電球に替えて設けられ、通電によりＥＬ表示シートの抜孔部分を面発光させるＬＥＤバルブと、車載用電源装置に接続され、始動入力によりＥＬ表示シート及びＬＥＤバルブに電源電圧を調整して供給する電圧調整回路とを具備することを特徴とするメーター表示キットが開示されている。
【０００４】
特許文献１のメータ表示キットによれば、通常のメータ表示から使用者が自由なデザイン選択で、安価に、視認性の良いブラックアウトメータ表示に容易に変更できる。
【０００５】
【特許文献１】実用新案登録３１０４８１０号
【考案の開示】
【考案が解決しようとする課題】
【０００６】
しかし、特許文献１のものでは、ＥＬ表示シートには、少なくとも文字、図形、記号、目盛、数値の何れかを含むＥＬ発光部が配線パターンと共に形成されている。ＥＬ表示シート上に、文字、図形、記号、目盛、数値などが直接形成されるため、その自由度が低い。また、特許文献１の図１ないし図３にも図示されているように、ＥＬ表示シートは多くの切欠部を備えるものとなるため、表示パネル部の前面の全体を覆うことができず、カスタム化としては、中途半端なものにならざるを得ないものであった。
【０００７】
そこで、本発明の目的は、アナログスピードメータ表示を備える表示パネル部の前面の全体のほぼ完全なカスタム化を可能とするとともに、そのカスタム化のためのデザインの選択性も極めて高い自動車計器表示変更装置を提供するものである。
【課題を解決するための手段】
【０００８】
上記目的を達成するものは、以下のものである。
（１）  アナログスピードメータ表示を備える表示パネル部と、前記アナログスピードメータ表示のための指針とを少なくとも有する自動車計器表示器に使用するための自動車計器表示変更装置であって、
該自動車計器表示変更装置は、前記指針を前記自動車計器表示器より離脱することなく通過させるための指針通過用開口を備え、前記表示パネル部の形状に対応した形状を有し、少なくともアナログスピードメータ表示を視認不能にするとともに前記アナログスピードメータ表示を含む表示パネル部の前面のほぼ全体を被包可能かつ前記表示パネル部上に取り外し可能に載置されるエレクトロルミネッセンス素子からなり実質的に無地表面を有する薄板状光源部と、
前記自動車計器表示器の前記アナログスピードメータ表示に対応しかつ前記アナログスピードメータ表示と表示形態が異なるとともに前記薄板状光源部により裏面側から照明されるアナログスピードメータ表示部と、前記薄板状光源部の前記指針通過用開口に対応する位置に設けられるとともに、前記指針を前記自動車計器表示器より離脱することなく通過させるための指針通過用開口部とを備え、前記薄板状光源部の前面に載置もしくは固定され、前記薄板状光源部の前面全体を被包する薄板状アナログスピードメータ表示部材と、
自動車の車載用電源装置に接続可能である前記薄板状光源部のための薄板状光源部用ドライバとを備える自動車計器表示変更装置。
【０００９】
（２）  前記薄板状アナログスピードメータ表示部材は、透明フィルム基材からなり、前記薄板状光源部からの光によっても実質的に明るくならない濃色背景部と、白色もしくは淡色にて印刷され、前記薄板状光源部からの光にて明るくなる前記アナログスピードメータ表示部とを有するものである上記（１）に記載の自動車計器表示変更装置。
（３）  前記薄板状アナログスピードメータ表示部材は、前記アナログスピードメータ表示部を取り囲むように帯状にかつ前記濃色背景部と異なる色にて印刷された帯状施色部を備えている上記（２）に記載の自動車計器表示変更装置。
（４）  前記薄板状アナログスピードメータ表示部材は、透明フィルム基材からなり、裏面側に施された印刷部を備え、該印刷部は、前記濃色背景部および前記アナログスピードメータ表示部を有するものである上記（２）または（３）に記載の自動車計器表示変更装置。
（５）  前記自動車計器表示変更装置は、前記薄板状光源部と前記薄板状アナログスピードメータ表示部材間に配置され、前記薄板状光源部の前記開口に対応する開口を備え、前記薄板状光源部の表面を被包するとともに、前記薄板状光源部から発光された光の色相を変更するための薄膜状の透明カラーシートを備えている上記（１）ないし（４）のいずれかに記載の自動車計器表示変更装置。
【００１０】
（６）  前記薄板状アナログスピードメータ表示部材は、前記薄板状光源部の前面全体を被包するとともに、前記薄板状光源部より若干大きいものとなっている上記（１）ないし（５）のいずれかに記載の自動車計器表示変更装置。
（７）  前記表示パネル部は、距離表示部を備え、前記薄板状光源部は、前記距離表示部を視認可能とするための距離表示部用開口部を備え、前記薄板状アナログスピードメータ表示部材は、前記距離表示部を視認可能とするための距離表示部用開口部もしくは距離表示部用透明部を備えている上記（１）ないし（６）のいずれかに記載の自動車計器表示変更装置。
（８）  前記表示パネル部は、前記アナログスピードメータ表示以外の付属的発光表示部を備え、前記薄板状光源部は、前記付属的発光表示部を視認可能とするための付属的発光表示部用開口部を備え、前記薄板状アナログスピードメータ表示部材は、前記付属的発光表示部を視認可能とするための付属的発光表示部用透明部を備えている上記（１）ないし（７）のいずれかに記載の自動車計器表示変更装置。
（９）  前記表示パネル部は、水温表示部および／または燃料表示部を備え、前記薄板状アナログスピードメータ表示部材は、前記表示パネル部の前記水温表示部および／または前記燃料表示部に対応しかつ表示形態が異なる水温表示部および／または燃料表示部を備え、前記薄板状光源部は、前記表示パネル部の前記水温表示部および／または燃料表示部を視認不能に被包するとともに、前記薄板状アナログスピードメータ表示部材の前記水温表示部および／または燃料表示部付近を裏面側から照明するものとなっている上記（１）ないし（８）のいずれかに記載の自動車計器表示変更装置。
【００１１】
また、上記目的を達成するものは、以下のものである。
（１０）  アナログスピードメータ表示を備える表示パネル部と、前記アナログスピードメータ表示のための指針とを少なくとも有する自動車計器表示器に使用するための自動車計器表示変更装置であって、
該自動車計器表示変更装置は、前記指針を前記自動車計器表示器より離脱することなく通過させるための指針通過用開口を備え、前記表示パネル部の形状に対応した形状を有し、少なくともアナログスピードメータ表示を視認不能にするとともに前記アナログスピードメータ表示を含む表示パネル部の前面のほぼ全体を被包可能かつ前記表示パネル部上に取り外し可能に載置されるエレクトロルミネッセンス素子からなり実質的に無地表面を有する薄板状光源部と、
前記自動車計器表示器の前記アナログスピードメータ表示に対応しかつ前記アナログスピードメータ表示と表示形態が異なるとともに前記薄板状光源部により裏面側から照明されるアナログスピードメータ表示部と、前記薄板状光源部の前記指針通過用開口に対応する位置に設けられるとともに、前記指針を前記自動車計器表示器より離脱することなく通過させるための指針通過用開口部とを備え、前記薄板状光源部の表面に載置もしくは固定され、前記薄板状光源部の前面全体を被包する薄板状アナログスピードメータ表示部材と、
自動車の車載用電源装置に接続可能である前記薄板状光源部のための薄板状光源部用ドライバとを備え、
さらに、前記表示パネル部は、距離表示部および前記アナログスピードメータ表示以外の付属的発光表示部を備え、前記薄板状光源部は、前記距離表示部を視認可能とするための距離表示部用開口部および前記付属的発光表示部を視認可能とするための付属的発光表示部用開口部を備え、前記薄板状アナログスピードメータ表示部材は、前記距離表示部を視認可能とするための距離表示部用開口部または距離表示部用透明部、および前記付属的発光表示部を視認可能とするための付属的発光表示部用透明部を備えている自動車計器表示変更装置。
【００１２】
また、上記目的を達成するものは、以下のものである。
（１１）  アナログスピードメータ表示を備える表示パネル部と、前記アナログスピードメータ表示のための指針とを少なくとも有する自動車計器表示器に使用するための自動車計器表示変更装置であって、
該自動車計器表示変更装置は、前記指針を前記自動車計器表示器より離脱することなく通過させるための指針通過用開口を備え、前記表示パネル部の形状に対応した形状を有し、少なくともアナログスピードメータ表示を視認不能にするとともに前記アナログスピードメータ表示を含む表示パネル部の前面のほぼ全体を被包可能かつ前記表示パネル部上に取り外し可能に載置されるエレクトロルミネッセンス素子からなり実質的に無地表面を有する薄板状光源部と、
前記自動車計器表示器の前記アナログスピードメータ表示に対応しかつ前記アナログスピードメータ表示と表示形態が異なるとともに前記薄板状光源部により裏面側から照明されるアナログスピードメータ表示部と、前記薄板状光源部の前記指針通過用開口に対応する位置に設けられるとともに、前記指針を前記自動車計器表示器より離脱することなく通過させるための指針通過用開口部とを備え、前記薄板状光源部の表面に載置もしくは固定され、前記薄板状光源部の前面全体を被包する薄板状アナログスピードメータ表示部材と、
前記薄板状光源部と前記薄板状アナログスピードメータ表示部材間に配置され、前記薄板状光源部の前記開口に対応する開口を備え、前記薄板状光源部の表面を被包するとともに、前記薄板状光源部から発光された光の色相を変更するための薄膜状の透明カラーシートと、
自動車の車載用電源装置に接続可能である前記薄板状光源部のための薄板状光源部用ドライバとを備え、
さらに、前記薄板状アナログスピードメータ表示部材は、透明フィルム基材からなり、裏面側に施された印刷部を備え、該印刷部は、前記薄板状光源部からの光によっても実質的に明るくならない濃色背景部と、白色もしくは淡色にて印刷され、前記薄板状光源部からの光にて明るくなる前記アナログスピードメータ表示部とを有する自動車計器表示変更装置。
【００１３】
また、上記目的を達成するものは、以下のものである。
（１２）  アナログスピードメータ表示を備える表示パネル部と、前記アナログスピードメータ表示のための指針とを少なくとも有する自動車計器表示器に使用するための自動車計器表示変更装置であって、
該自動車計器表示変更装置は、前記指針を前記自動車計器表示器より離脱することなく通過させるための指針通過用開口を備え、前記表示パネル部の形状に対応した形状を有し、少なくともアナログスピードメータ表示を視認不能にするとともに前記アナログスピードメータ表示を含む表示パネル部の前面のほぼ全体を被包可能かつ前記表示パネル部上に取り外し可能に載置されるエレクトロルミネッセンス素子からなり実質的に無地表面を有する薄板状光源部と、
前記自動車計器表示器の前記アナログスピードメータ表示に対応しかつ前記アナログスピードメータ表示と表示形態が異なるとともに前記薄板状光源部により裏面側から照明されるアナログスピードメータ表示部と、前記薄板状光源部の前記指針通過用開口に対応する位置に設けられるとともに、前記指針を前記自動車計器表示器より離脱することなく通過させるための指針通過用開口部とを備え、前記薄板状光源部の表面に載置もしくは固定され、前記薄板状光源部の前面全体を被包する薄板状アナログスピードメータ表示部材と、
自動車の車載用電源装置に接続可能である前記薄板状光源部のための薄板状光源部用ドライバとを備え、
さらに、前記表示パネル部は、距離表示部および前記アナログスピードメータ表示以外の付属的発光表示部を備え、前記薄板状光源部は、前記距離表示部を視認可能とするための距離表示部用開口部および前記付属的発光表示部を視認可能とするための付属的発光表示部用開口部を備え、前記薄板状アナログスピードメータ表示部材は、前記距離表示部を視認可能とするための距離表示部用開口部または距離表示部用透明部、および前記付属的発光表示部を視認可能とするための付属的発光表示部用透明部を備え、
さらに、前記表示パネル部は、水温表示部および／または燃料表示部を備え、前記薄板状アナログスピードメータ表示部材は、前記表示パネル部の前記水温表示部および／または前記燃料表示部に対応しかつ表示形態が異なる水温表示部および／または燃料表示部を備え、前記薄板状光源部は、前記表示パネル部の前記水温表示部および／または燃料表示部を視認不能に被包するとともに、前記薄板状アナログスピードメータ表示部材の前記水温表示部および／または燃料表示部付近を裏面側から照明するものとなっている自動車計器表示変更装置。
【００１４】
（１３）  前記薄板状光源部用ドライバは、前記薄板状光源部の発光色を調整するための調整機能を備えている上記（１）ないし（１２）のいずれかに記載の自動車計器表示変更装置。
（１４）  前記薄板状光源部は、薄板状光源部本体と、一端部に前記薄板状光源部本体と着脱可能に接続するためのコネクターおよび他端部に前記薄板状光源部用ドライバと着脱可能に接続するためのコネクターを備える接続ケーブルとからなるものである上記（１）ないし（１３）のいずれかに記載の自動車計器表示変更装置。
【考案の効果】
【００１５】
この考案の自動車計器表示変更装置は、エレクトロルミネッセンス素子からなり実質的に無地表面を有する薄板状光源部と、前記薄板状光源部の前面全体を被包する薄板状アナログスピードメータ表示部材とを備えるものであり、適宜のデザインが可能かつ容易な薄板状アナログスピードメータ表示部材により薄板状光源部の前面の全体を被覆するものであるため、薄板状光源部に格別な印刷を行うことが不要であるとともに、アナログスピードメータ表示を備える表示パネル部の前面の全体のほぼ完全なカスタム化が可能であるとともに、任意のデザイン化を極めて容易に行うことができる。
さらに、薄板状光源部および薄板状アナログスピードメータ表示部材は、ともに、スピードメータの指針を離脱することなく通過させるための指針通過用開口を備えているので、スピードメータの指針を離脱することなく装着することができ、また、薄板状光源部および薄板状アナログスピードメータ表示部材の取り外しも可能であり、標準状態への復帰も容易である。
【考案を実施するための最良の形態】
【００１６】
本考案の自動車計器表示変更装置を図面に示す実施例を用いて説明する。
図１は、本考案の実施例の自動車計器表示変更装置の正面図である。図２は、本考案の自動車計器表示変更装置の作用を説明するための説明図である。図３は、図１に示した自動車計器表示変更装置に使用される薄板状光源部の正面図である。図４は、図１に示した自動車計器表示変更装置の使用対象となる自動車計器表示器の正面図である。図５は、図１に示した自動車計器表示変更装置に使用される薄板状アナログスピードメータ表示部材の正面図である。図６は、本考案の他の実施例の自動車計器表示変更装置に使用される薄板状アナログスピードメータ表示部材の正面図である。図７は、本考案の他の実施例の自動車計器表示変更装置に使用される薄板状アナログスピードメータ表示部材の正面図である。
【００１７】
本考案の自動車計器表示変更装置１は、アナログスピードメータ表示７１を備える表示パネル部７０と、アナログスピードメータ表示７１のための指針７２とを少なくとも有する自動車計器表示器７に使用するためのものである。
自動車計器表示変更装置１は、薄板状光源部２と、薄板状アナログスピードメータ表示部材３と、薄板状光源部用ドライバ４とを備える。
薄板状光源部２は、指針７２を自動車計器表示器７より離脱することなく通過させるための指針通過用開口２２を備え、表示パネル部７０の形状に対応した形状を有し、少なくともアナログスピードメータ表示７１を視認不能にするとともにアナログスピードメータ表示７１を含む表示パネル部７０の前面のほぼ全体を被包可能かつ表示パネル部７０上に取り外し可能に載置されるエレクトロルミネッセンス素子からなり、実質的に無地表面を有するものとなっている。
【００１８】
薄板状アナログスピードメータ表示部材３は、自動車計器表示器７のアナログスピードメータ表示７１に対応しかつアナログスピードメータ表示７１と表示形態が異なるとともに薄板状光源部２により裏面側から照明されるアナログスピードメータ表示部３１と、薄板状光源部２の指針通過用開口２２に対応する位置に設けられるとともに、指針７２を自動車計器表示器７より離脱することなく通過させるための指針通過用開口部３２とを備え、薄板状光源部２の前面に載置もしくは固定され、薄板状光源部２の前面全体を被包するものとなっている。
薄板状光源部用ドライバ４は、自動車の車載用電源装置に接続可能であるとともに、薄板状光源部２を発光させるためのドライバである。
【００１９】
自動車計器表示器７は、図２に示すように、表示パネル部７０と、その前面を被包する透明板８０を備えている。そして、図１に示す実施例の自動車計器表示変更装置１における薄板状光源部２と薄板状アナログスピードメータ表示部材３とは、表示パネル部７０と指針７２間に配置可能なものとなっている。
図２および図４に示すように、この実施例の自動車計器表示変更装置１が使用される自動車計器表示器７の表示パネル部７０は、アナログスピードメータ表示７１、指針７２、距離表示部７３、付属的発光表示部７４ａ〜７４ｍ、距離表示部用ボタン７５、水温表示部７６、水温表示用指針７６ａ、燃料表示部７７、燃料表示用指針７７ａを備えている。付属的発光表示部としては、ハイビーム、ＡＢＳ、エアーバッグ、バッテリー、エンジンオイルなどの状況を表示するものが考えられる。
【００２０】
そして、この表示パネル部７０の上部全体を被包する透明板８０が設けられており、透明板８０には、距離表示部用ボタン７５の挿通用開口８５を有している。
薄板状光源部２は、エレクトロルミネッセンス素子からなり、実質的に無地表面を有するものとなっている。薄板状光源部２は、上述した自動車計器表示器７の表示パネル部７０に対応するものとなっている。具体的には、薄板状光源部２は、指針７２を自動車計器表示器７より離脱することなく通過させるための指針通過用開口２２、距離表示部を視認可能とするための距離表示部用開口部２３、付属的発光表示部７４ａ〜７４ｍを視認可能とするための付属的発光表示部用開口部２４ａ〜２４ｍ、距離表示部用ボタン７５を挿通させるための開口部２５を備えている。
【００２１】
また、薄板状光源部２は、表示パネル部７０の形状に対応した形状を有し、アナログスピードメータ表示７１を視認不能とするとともにアナログスピードメータ表示７１を含む表示パネル部７０の前面全体を被包可能な形態となっている。薄板状光源部２の厚さは、後述する薄板状アナログスピードメータ表示部材３の厚さを合わせたものが、自動車計器表示器７の表示パネル部７０のパネル表面と指針７２間のクリアランスより薄いものとなっている。このため、薄板状光源部２および薄板状アナログスピードメータ表示部材３を自動車計器表示器７の表示パネル部７０と指針７２間に配置しても、指針７２の動きを阻害しない。
エレクトロルミネッセンス素子からなる薄板状光源部２の構造としては、公知のものが使用される。薄板状光源部２は、シート状に形成されたエレクトロルミネッセンス（Ｅｌｅｃｔｒｏ Ｌｕｍｉｎｅｓｃｅｎｃｅ：以後ＥＬと略称する）素子で成る面状発光体であり、ＥＬ素子は、表示面が電界自己発光する。この実施例の薄板状光源部２は、白色もしくはほぼ白色に発光する。なお、薄板状光源部２は、白色ではなく、有色（例えば、赤、青、緑）に発光するもの、さらに、白色を含む発光色を選択できるものであってもよい。薄板状光源部２としては、背面保護膜（図示せず）、背面電極（図示せず）、絶縁層（図示せず）、発光層（図示せず）、表面透明電極（図示せず）をこの順に積層したものが一般的であり、表面透明電極が発光面を形成する。そして、背面電極と表面透明電極の接点部２８には、コード２９の一端部２９ａが固定されており、コード２９の他端には、接続ケーブル５のコネクター５１との接続のためのコネクター２９ｂが設けられている。
【００２２】
薄板状光源部用ドライバ４は、薄板状光源部２を発光させるための駆動回路を備えている。駆動回路としては、エレクトロルミネッセンス素子発光用の公知のものが使用できる。また、薄板状光源部用ドライバ４は、コネクター４１と、自動車の車載用電源装置と接続するためのコネクター４２を備えている。薄板状光源部用ドライバ４は、自動車の車載用電源装置より電源供給を受け作動する。また、薄板状光源部用ドライバは、薄板状光源部２の発光色を選択するための機能を備えているものであってもよい。発光色選択機能としては、例えば、薄板状光源部２の背面電極と表面透明電極間に印加される電圧もしくは電圧のパルス幅を変更可能とすることにより、構成される。
また、この実施例の自動車計器表示変更装置１は、薄板状光源部２と着脱可能に接続するためのコネクター５１および他端部に薄板状光源部用ドライバ４のコネクター４１と着脱可能に接続するためのコネクター５２とを備える接続ケーブルを備えている。
【００２３】
この実施例における薄板状アナログスピードメータ表示部材３は、薄板状光源部２の前面全体を被包するものとなっており、板状光源部２の前面形態と同じもしくは若干大きいものとなっており、若干大きいものが好ましい。また、表示部材３は、透明フィルム基材からなり、必要な印刷が施されている。
薄板状アナログスピードメータ表示部材３は、自動車計器表示器７のアナログスピードメータ表示７１に対応しかつアナログスピードメータ表示７１と表示形態が異なるアナログスピードメータ表示部３１を有する。このアナログスピードメータ表示部３１は、薄板状光源部２により裏面側より照明される。また、表示部材３は、薄板状光源部２の指針通過用開口２２に対応する位置に設けられるとともに、指針７２を自動車計器表示器７より離脱することなく通過させるための指針通過用開口部３２、距離表示部用ボタン７５を挿通させるための開口部３５を備えている。
【００２４】
この実施例の自動車計器表示変更装置１では、薄板状光源部２は、距離表示部用開口部２３を備え、薄板状アナログスピードメータ表示部材３は、距離表示部用開口部３３を備えているので、表示パネル部７０の距離表示部７３の視認を妨げないものとなっている。
さらに、表示部材３は、距離表示部を視認可能とするための距離表示部用開口部３３、付属的発光表示部７４ａ〜７４ｍを視認可能とするための付属的発光表示部用透明部３４ａ〜３４ｍを備えている。各透明部は、透明フィルムの非印刷部分もしくは透明性印刷部により形成される。なお、表示部材３に設けられる距離表示部用開口部３３は、開口部ではなく距離表示部用透明部であってもよい。  さらに、この実施例の自動車計器表示変更装置１では、薄板状光源部２は、付属的発光表示部用開口部２４ａ〜２４ｍを備え、薄板状アナログスピードメータ表示部材３は、付属的発光表示部用透明部３４ａ〜３４ｍを備えているので、自動車計器表示器７の表示パネル部７０の付属的発光表示部７４ａ〜７４ｍの視認を妨げないものとなっている。
【００２５】
また、表示部材３は、印刷により形成された水温表示部３６および燃料表示部３７を備えている。表示部材３の水温表示部３６は、表示パネル部７０の水温表示部７６に対応しかつ表示形態が異なるものとなっており、薄板状光源部２により裏面側より照明される。表示部材３の燃料表示部３７は、表示パネル部７０の燃料表示部７７に対応しかつ表示形態が異なるものとなっており、薄板状光源部２により裏面側より照明される。
そして、この実施例における表示部材３は、淡色にて印刷された背景部と、濃色（例えば、黒色）にて印刷され、アナログスピードメータ表示部を有するものとなっている。このため、薄板状光源部からの光にて背景部は、明るくなるため、アナログスピードメータ表示部を認識することができる。
【００２６】
なお、薄板状アナログスピードメータ表示部材３のデザイン形態は、上記のようなものに限定されるものではなく、図６に示すようようなものであってもよい。この実施例の薄板状アナログスピードメータ表示部材３ａでは、背景部が薄板状光源部からの光によっても実質的に明るくならない濃色背景部（具体的には、黒、濃紺、濃緑、濃い茶）となっており、アナログスピードメータ表示部が、白色もしくは淡色にて印刷されている。このため、薄板状光源部からの光によって、アナログスピードメータ表示部が浮かび上がるように認識することができる。そして、この実施例の表示部材３ａでは、水温表示部、燃料表示部も白色もしくは淡色にて印刷されている。このため、薄板状光源部からの光によって、水温表示部、燃料表示部が浮かび上がるように認識することができる。そして、このようなデザイン形態の薄板状アナログスピードメータ表示部材３では、表示部材３は、薄板状光源部２の表面形状より、若干大きいものとし、薄板状光源部２の周縁部からの光が実質的に漏れないようにすることが好ましい。このようにすることにより、表示部材３の外縁外側に光が漏れることが少なくなるため、表示部材３に付されたアナログスピードメータ表示部がより明瞭に浮かび上がる状態となる。
【００２７】
さらに、図７に示す薄板状アナログスピードメータ表示部材３ｂのように、アナログスピードメータ表示部を取り囲むように帯状にかつ濃色背景部と異なる色にて印刷された帯状施色部を備えていてもよい。この場合帯状施色部は、濃色背景部より彩度の高いもの、言い換えれば明るい色であることが好ましい。具体的には、濃色背景部として、黒、濃紺、濃緑または濃い茶を選択し、帯状施色部としては、青、赤または緑を選択することが好適である。
上述したように薄板状アナログスピードメータ表示部材３は、透明フィルム基材からなり、印刷部を備えている。そして、印刷部は、裏面側に施されていることが好ましく、表面側は、透明フィルム基材の素地表面となっていることが好ましい。このようにすることにより、薄板状アナログスピードメータ表示部材３の表面に印刷インクに起因するムラなどが現れることがなく、良好な表面状態となる。そして、印刷部には、上述した濃色背景部、アナログスピードメータ表示部、その他の必要な表示部、さらには、帯状施色部などが印刷される。
【００２８】
さらに、図８に示す実施例の自動車計器表示変更装置のように、薄板状光源部２と薄板状アナログスピードメータ表示部材３間に、薄膜状の透明カラーシート６が配置されたものであってもよい。
透明カラーシート６は、薄板状光源部２の開口（例えば、指針通過用貫通孔２２）に対応する開口６２を備え、薄板状光源部２の表面を被包するとともに、薄板状光源部２から発光された光の色相を変更するためのものである。このカラーシートを用いることにより、薄板状光源部では、出すことができない色相を発現させることができ、趣向に合わせた色相の任意を可能とする。
透明カラーシート６の厚さは、薄板状光源部２および薄板状アナログスピードメータ表示部材３の厚さを合わせたものが、自動車計器表示器７の表示パネル部７０のパネル表面と指針７２間のクリアランスより薄いものとなっている。このため、薄板状光源部２、透明カラーシート６および薄板状アナログスピードメータ表示部材３を自動車計器表示器７の表示パネル部７０と指針７２間に配置しても、指針７２の動きを阻害しない。
【００２９】
透明カラーシート６の色としては、赤色系透明カラーシート、青色系透明カラーシート、黄色系透明カラーシート、緑色系透明カラーシートなどが使用される。
そして、透明カラーシート６は、薄板状光源部２の前面全体を被包するとともに、薄板状光源部２より若干大きいものとなっていることが好ましい。さらに、透明カラーシート６は、薄板状アナログスピードメータ表示部材より若干小さいものであることが好ましい。
そして、この実施例における透明カラーシート６は、指針７２を自動車計器表示器７より離脱することなく通過させるための指針通過用開口６２、距離表示部を視認可能とするための距離表示部用開口部６３、付属的発光表示部７４ａ〜７４ｍを視認可能とするための付属的発光表示部用開口部６４ａ〜６４ｍ、距離表示部用ボタン７５を挿通させるための開口部６５を備えている。
【図面の簡単な説明】
【００３０】
【図１】図１は、本考案の実施例の自動車計器表示変更装置の正面図である。
【図２】図２は、本考案の自動車計器表示変更装置の作用を説明するための説明図である。
【図３】図３は、図１に示した自動車計器表示変更装置に使用される薄板状光源部の正面図である。
【図４】図４は、図１に示した自動車計器表示変更装置の使用対象となる自動車計器表示器の正面図である。
【図５】図５は、図１に示した自動車計器表示変更装置に使用される薄板状アナログスピードメータ表示部材の正面図である。
【図６】図６は、本考案の他の実施例の自動車計器表示変更装置に使用される薄板状アナログスピードメータ表示部材の正面図である。
【図７】図７は、本考案の他の実施例の自動車計器表示変更装置に使用される薄板状アナログスピードメータ表示部材の正面図である。
【図８】図８は、本考案の他の実施例の自動車計器表示変更装置の正面図である。
【図９】図９は、図８に示した自動車計器表示変更装置に使用される薄膜状透明カラーシートの正面図である。
【符号の説明】
【００３１】
１  自動車計器表示変更装置
２  薄板状光源部
３  薄板状アナログスピードメータ表示部材
４  薄板状光源部用ドライバ
６  透明カラーシート
７  自動車計器表示器
【図１】
0003131288.tif 000003
【図２】
0003131288.tif 000004
【図３】
0003131288.tif 000005
【図４】
0003131288.tif 000006
【図５】
0003131288.tif 000007
【図６】
0003131288.tif 000008
【図８】
0003131288.tif 000009
【図９】
0003131288.tif 000010
【図７】
0003131288.tif 000011